(57)【要約】【課題】様々な通信路品質状態においてダウンリンクにおけるスループットの低下を防ぐ。【解決手段】下り高速伝送方式であるＨＳＤＰＡ方式が適用された移動通信システムにて、端末１０２から送信されて基地局１０１にて受信されたＨＳ−ＤＰＣＣＨのサブフレーム内からダウンリンクの通信路品質状態を示すであるＣＱＩが抽出され、抽出されたＣＱＩに基づいて、ＨＳ−ＰＤＳＣＨを用いて送信されるパケットデータをデコードするためのデコード情報をＨＳ−ＳＣＣＨを用いて送信するための送信電力が決定される。【選択図】図１
2007235817.tif 000002
【特許請求の範囲】
【請求項１】
下り高速伝送方式であるＨＳＤＰＡ方式が適用された端末と、該端末と通信を行う下り高速伝送方式であるＨＳＤＰＡ方式が適用された基地局とを有してなる移動通信システムにおいて、
前記基地局は、前記端末から送信されて受信された第１の物理チャネルのサブフレーム内からダウンリンクの通信路品質状態を示すであるＣＱＩを抽出し、抽出された前記ＣＱＩに基づいて、第２の物理チャネルを用いて送信されるパケットデータをデコードするためのデコード情報を第３の物理チャネルを用いて送信するための送信電力を決定することを特徴とする移動通信システム。
【請求項２】
請求項１に記載の移動通信システムにおいて、
前記基地局は、
前記サブフレーム内から前記ＣＱＩを抽出するＣＱＩ抽出手段と、
抽出された前記ＣＱＩに基づいて、前記第２の物理チャネルを用いて送信されるパケットデータをデコードするためのデコード情報を前記第３の物理チャネルを用いて送信するための送信電力を決定するＨＳ−ＳＣＣＨ送信電力決定手段とを有することを特徴とする移動通信システム。
【請求項３】
請求項２に記載の移動通信システムにおいて、
前記ＨＳ−ＳＣＣＨ送信電力決定手段は、前記ＣＱＩと前記送信電力を決定するための情報との対応付けが予め格納されており、該対応付けに基づいて前記送信電力を決定することを特徴とする移動通信システム。
【請求項４】
下り高速伝送方式であるＨＳＤＰＡ方式が適用された端末と通信を行う下り高速伝送方式であるＨＳＤＰＡ方式が適用された基地局であって、
前記端末から送信されて受信された第１の物理チャネルのサブフレーム内からダウンリンクの通信路品質状態を示すであるＣＱＩを抽出し、抽出された前記ＣＱＩに基づいて、第２の物理チャネルを用いて送信されるパケットデータをデコードするためのデコード情報を第３の物理チャネルを用いて送信するための送信電力を決定する基地局。
【請求項５】
請求項４に記載の基地局において、
前記サブフレーム内から前記ＣＱＩを抽出するＣＱＩ抽出手段と、
抽出された前記ＣＱＩに基づいて、前記第２の物理チャネルを用いて送信されるパケットデータをデコードするためのデコード情報を前記第３の物理チャネルを用いて送信するための送信電力を決定するＨＳ−ＳＣＣＨ送信電力決定手段とを有することを特徴とする基地局。
【請求項６】
請求項５に記載の基地局において、
前記ＨＳ−ＳＣＣＨ送信電力決定手段は、前記ＣＱＩと前記送信電力を決定するための情報との対応付けが予め格納されており、該対応付けに基づいて前記送信電力を決定することを特徴とする基地局。
【請求項７】
下り高速伝送方式であるＨＳＤＰＡ方式が適用された端末と、該端末と通信を行う下り高速伝送方式であるＨＳＤＰＡ方式が適用された基地局とを有してなる移動通信システムにおける送信電力制御方法であって、
前記基地局が、前記端末から送信されて受信された第１の物理チャネルのサブフレーム内からダウンリンクの通信路品質状態を示すであるＣＱＩを抽出する処理と、
抽出された前記ＣＱＩに基づいて、第２の物理チャネルを用いて送信されるパケットデータをデコードするためのデコード情報を第３の物理チャネルを用いて送信するための送信電力を決定する処理とを有する送信電力制御方法。
【発明の詳細な説明】
【技術分野】
【０００１】
本発明は、基地局から端末へ情報を送信するための送信電力を制御する移動通信システム、基地局及び送信電力制御方法に関する。
【背景技術】
【０００２】
近年急速に普及してきている３ＧＰＰ（３ｒｄ  Ｇｅｎｅｒａｔｉｏｎ  Ｐａｒｔｎｅｒｓｈｉｐ  Ｐｒｏｊｅｃｔ）準拠のＷ−ＣＤＭＡ（Ｗｉｄｅ  ｂａｎｄ  Ｃｏｄｅ  Ｄｉｖｉｓｉｏｎ  Ｍｕｌｔｉｐｌｅ  Ａｃｃｅｓｓ）方式において、ダウンリンクにおける高速なパケット伝送を実現するために、ＨＳＤＰＡ（Ｈｉｇｈ  Ｓｐｅｅｄ  Ｄｏｗｎｌｉｎｋ  Ｐａｃｋｅｔ  Ａｃｃｅｓｓ）方式が提案され、研究及び開発が進められている。
【０００３】
ＨＳＤＰＡ方式では、基地局から端末にデータが送信されるダウンリンクにて用いられる物理チャネルとして、ＨＳ−ＳＣＣＨ（Ｈｉｇｈ  Ｓｐｅｅｄ  Ｓｈａｒｄ  Ｃｏｎｔｒｏｌ  Ｃｈａｎｎｅｌ）とＨＳ−ＰＤＳＣＨ（Ｈｉｇｈ  Ｓｐｅｅｄ  Ｐｈｙｓｉｃａｌ Ｄｏｗｎｌｉｎｋ  Ｓｈａｒｄ  Ｃｈａｎｎｅｌ）とが規定されている。ＨＳ−ＳＣＣＨとＨＳ−ＰＤＳＣＨとは、対で使用される。ＨＳ−ＰＤＳＣＨによって、ＨＳＤＰＡ用のパケットデータが伝送される。また、ＨＳ−ＳＣＣＨによって、対で送信されるＨＳ−ＰＤＳＣＨのパケットデータをデコードするためのデコード情報が伝送される。
【０００４】
一方、端末から基地局にデータが送信されるアップリンクにて使用される物理チャネルとして、ＨＳ−ＤＰＣＣＨ（Ｈｉｇｈ  Ｓｐｅｅｄ  Ｄｅｄｉｃａｔｅｄ  Ｃｏｎｔｏｌ  Ｃｈａｎｎｅｌ）が規定されている。
【０００５】
図７は、従来のＨＳ−ＤＰＣＣＨのサブフレームの構造を示す図である。
【０００６】
図７に示すようにＨＳ−ＤＰＣＣＨのサブフレームは、ＨＳ−ＰＤＳＣＨのデコード状況を通知するＡＣＫ／ＮＡＣＫ情報を示すＨＡＲＱ−ＡＣＫとデータの受信品質を示すＣＱＩ（Ｃｈａｎｎｅｌ  Ｑｕａｌｉｔｙ  Ｉｎｄｉｃａｔｏｒ）とから構成される。ＣＱＩの値は、基地局から端末へ送信されるデータのＣＰＩＣＨ（Ｃｏｍｍｏｎ  Ｐｉｌｏｔ  Ｃｈａｎｎｅｌ）の受信品質が０〜３０の値に符号化された値であり、ＨＳ−ＤＰＣＣＨのサブフレーム上にマッピングされている。３ＧＰＰの規定では、ＣＱＩの値は、受信品質が悪いとＣＱＩ値が低く、受信品質が良いとＣＱＩ値が高くなるとされている。また、ＨＳＤＰＡ方式の動作としては、基地局から端末へ送信されるＨＳ−ＤＰＣＣＨが受信され、ＡＣＫ／ＮＡＣＫ情報に従い、ＡＣＫであれば新規のパケットが送信され、また、ＮＡＣＫであれば、再送が行われる。さらに、基地局にて、端末から送信されてきたＨＳ−ＤＰＣＣＨにマッピングされたＣＱＩの値に基づいて、受信品質に適したＨＳ−ＰＤＳＣＨを送信するべく、ＨＳ−ＰＤＳＣＨのコード数、ＴＢＳ（Ｔｒａｎｓｐｏｒｔ  Ｂｌｏｃｋ  Ｓｉｚｅ）、変調方式が決定される。そして、ＨＳ−ＳＣＣＨとＨＳ−ＰＤＳＣＨとが対にして送信される。基地局から送信されたＨＳ−ＳＣＣＨとＨＳ−ＰＤＳＣＨとが、端末にて受信され、ＨＳ−ＰＤＳＣＨの受信結果（ＡＣＫ／ＮＡＣＫ）と受信品質を示すＣＱＩの値とがＨＳ−ＤＰＣＣＨにマッピングされて基地局へ送信される。
【０００７】
また、ダイバーシティハンドオーバー状態において、ＨＳ−ＳＣＣＨの送信電力値を最適値に保つ方法が考えられている（例えば、特許文献１参照。）。
【特許文献１】特開２００５−２７７６１２号公報
【発明の開示】
【発明が解決しようとする課題】
【０００８】
上述したようにＨＳＤＰＡ方式においては、端末におけるデータの受信品質に基づいて、ＨＳ−ＰＤＳＣＨのコード数、ＴＢＳ、変調方式を変化させている。しかしながら、ＨＳ−ＳＣＣＨについては、受信品質の考慮がされておらず、一定の変調方式、冗長度、送信電力でデコード情報が送信されている。そのため、受信品質が悪い状況で、その状況に合わない変調方式、冗長度、送信電力でデコード情報が送信されると、ＨＳ−ＳＣＣＨの受信特性が劣化してしまい、ＨＳ−ＰＤＳＣＨのパケットデータが正しくデコードされず、スループットが低下してしまうという問題点がある。
【０００９】
また、特許文献１に記載された方法においては、ダイバーシティハンドオーバー状態においてのみ、ＨＳ−ＳＣＣＨの送信電力値を最適値に保つ方法のため、他の状態におけるＨＳ−ＳＣＣＨの送信電力値の制御については述べられていない。
【００１０】
本発明は、上述したような従来の技術が有する問題点に鑑みてなされたものであって、様々な通信路品質状態においてダウンリンクにおけるスループットの低下を防ぐことができる移動通信システム、基地局及び送信電力制御方法を提供することを目的とする。
【課題を解決するための手段】
【００１１】
上記目的を達成するために本発明は、
下り高速伝送方式であるＨＳＤＰＡ方式が適用された端末と、該端末と通信を行う下り高速伝送方式であるＨＳＤＰＡ方式が適用された基地局とを有してなる移動通信システムにおいて、
前記基地局は、前記端末から送信されて受信された第１の物理チャネルのサブフレーム内からダウンリンクの通信路品質状態を示すであるＣＱＩを抽出し、抽出された前記ＣＱＩに基づいて、第２の物理チャネルを用いて送信されるパケットデータをデコードするためのデコード情報を第３の物理チャネルを用いて送信するための送信電力を決定することを特徴とする。
【００１２】
また、前記基地局は、
前記サブフレーム内から前記ＣＱＩを抽出するＣＱＩ抽出手段と、
抽出された前記ＣＱＩに基づいて、前記第２の物理チャネルを用いて送信されるパケットデータをデコードするためのデコード情報を前記第３の物理チャネルを用いて送信するための送信電力を決定するＨＳ−ＳＣＣＨ送信電力決定手段とを有することを特徴とする。
【００１３】
また、前記ＨＳ−ＳＣＣＨ送信電力決定手段は、前記ＣＱＩと前記送信電力を決定するための情報との対応付けが予め格納されており、該対応付けに基づいて前記送信電力を決定することを特徴とする。
【００１４】
また、下り高速伝送方式であるＨＳＤＰＡ方式が適用された端末と通信を行う下り高速伝送方式であるＨＳＤＰＡ方式が適用された基地局であって、
前記端末から送信されて受信された第１の物理チャネルのサブフレーム内からダウンリンクの通信路品質状態を示すであるＣＱＩを抽出し、抽出された前記ＣＱＩに基づいて、第２の物理チャネルを用いて送信されるパケットデータをデコードするためのデコード情報を第３の物理チャネルを用いて送信するための送信電力を決定する。
【００１５】
また、前記サブフレーム内から前記ＣＱＩを抽出するＣＱＩ抽出手段と、
抽出された前記ＣＱＩに基づいて、前記第２の物理チャネルを用いて送信されるパケットデータをデコードするためのデコード情報を前記第３の物理チャネルを用いて送信するための送信電力を決定するＨＳ−ＳＣＣＨ送信電力決定手段とを有することを特徴とする。
【００１６】
また、前記ＨＳ−ＳＣＣＨ送信電力決定手段は、前記ＣＱＩと前記送信電力を決定するための情報との対応付けが予め格納されており、該対応付けに基づいて前記送信電力を決定することを特徴とする。
【００１７】
また、下り高速伝送方式であるＨＳＤＰＡ方式が適用された端末と、該端末と通信を行う下り高速伝送方式であるＨＳＤＰＡ方式が適用された基地局とを有してなる移動通信システムにおける送信電力制御方法であって、
前記基地局が、前記端末から送信されて受信された第１の物理チャネルのサブフレーム内からダウンリンクの通信路品質状態を示すであるＣＱＩを抽出する処理と、
抽出された前記ＣＱＩに基づいて、第２の物理チャネルを用いて送信されるパケットデータをデコードするためのデコード情報を第３の物理チャネルを用いて送信するための送信電力を決定する処理とを有する。
【００１８】
上記のように構成された本発明においては、下り高速伝送方式であるＨＳＤＰＡ方式が適用された移動通信システムにて、端末から送信されて基地局にて受信された第１の物理チャネルのサブフレーム内からダウンリンクの通信路品質状態を示すであるＣＱＩが抽出され、抽出されたＣＱＩに基づいて、第２の物理チャネルを用いて送信されるパケットデータをデコードするためのデコード情報を第３の物理チャネルを用いて送信するための送信電力が決定される。
【００１９】
これにより、端末にて測定された通信路品質状態に応じた送信電力によって、デコード情報が第３の物理チャネルを用いて基地局から端末へ送信されるため、第２の物理チャネルを用いて送信されてきたパケットデータを端末にて正常にデコードすることができる。
【発明の効果】
【００２０】
以上説明したように本発明においては、下り高速伝送方式であるＨＳＤＰＡ方式が適用された移動通信システムにて、端末から送信されて基地局にて受信された第１の物理チャネルのサブフレーム内からダウンリンクの通信路品質状態を示すであるＣＱＩを抽出し、抽出されたＣＱＩに基づいて、第２の物理チャネルを用いて送信されるパケットデータをデコードするためのデコード情報を第３の物理チャネルを用いて送信するための送信電力を決定する構成としたため、様々な通信路品質状態においてダウンリンクにおけるスループットの低下を防ぐことができる。
【発明を実施するための最良の形態】
【００２１】
以下に、本発明の実施の形態について図面を参照して説明する。
【００２２】
図１は、本発明の移動通信システムの実施の一形態を示す図である。
【００２３】
本形態は図１に示すように、基地局１０１と端末１０２とから構成されている。基地局１０１及び端末１０２は、ＨＳＤＰＡ方式に対応しているものである。基地局１０１から端末１０２へＨＳＤＰＡ方式の第２の物理チャネルであるＨＳ−ＰＤＳＣＨと第３の物理チャネルであるＨＳ−ＳＣＣＨとが用いられてデータが送信される。ＨＳ−ＰＤＳＣＨによって、ＨＳＤＰＡ用のダウンリンクのパケットデータが送信される。また、ＨＳ−ＳＣＣＨによって、対で送信されるＨＳ−ＰＤＳＣＨのパケットデータをデコードするためのデコード情報が送信される。また、端末１０２から基地局１０１へＨＳＤＰＡ方式の第１の物理チャネルであるＨＳ−ＤＰＣＣＨが用いられてデータが送信される。ＨＳ−ＤＰＣＣＨによって、ＨＳ−ＰＤＳＣＨのデコード状況を通知するＡＣＫ／ＮＡＣＫ情報とデータの受信品質、つまり現在のダウンリンクの通信路品質状態を示すであるＣＱＩとが１つのフレームにマッピングされて送信される。
【００２４】
図２は、図１に示した基地局１０１の構成を示す図である。
【００２５】
図１に示した基地局１０１には図２に示すように、受信アンテナ２０１と、受信部２０２と、逆拡散復調部２０３と、チャネル復号部２０４と、ネットワーク部２０５と、ＣＱＩ抽出部２０６と、ＨＳ−ＳＣＣＨ送信電力決定部２０７と、チャネル符号部２０８と、拡散変調部２０９と、送信部２１０と、送信アンテナ２１１と、制御部２１２とが設けられている。図２では、基地局１０１の構成要素の中で、本発明に関する構成要素のみを示している。
【００２６】
受信アンテナ２０１は、図１に示した端末１０２から発信された電波を受信する。受信部２０２は、端末１０２から受信アンテナ２０１を介して受信されたアップリンクデータを受信する。逆拡散復調部２０３は、受信部２０２にて受信されたアップリンクデータを逆拡散して復調する。チャネル復号部２０４は、逆拡散復調部２０３にて復調されたアップリンクデータについて、誤り訂正等を復号する。ネットワーク部２０５は、チャネル復号部２０４にて復号されたアップリンクデータを上位装置（不図示）へ送信し、また、上位装置から送信されてきたダウンリンクデータを受信する。ＣＱＩ抽出部２０６は、チャネル復号部２０４にて復号されたアップリンクデータからＣＱＩを抽出する。ＨＳ−ＳＣＣＨ送信電力決定部２０７は、ＣＱＩ抽出部２０６にて抽出されたＣＱＩに基づいてＨＳ−ＳＣＣＨの送信電力を決定する。チャネル符号部２０８は、ネットワーク部２０５にて受信されたダウンリンクデータについて誤り訂正等を施してチャネルに変換する。拡散変調部２０９は、チャネル符号部２０８にてチャネルに変換されたダウンリンクデータをＱＰＳＫや１６ＱＡＭに変調して拡散する。送信部２１０は、拡散変調部２０９にて拡散されたダウンリンクデータを搬送波周波数に乗せ、送信アンテナ２１１を介して端末１０２へ送信する。制御部２１２は、逆拡散復調部２０３、チャネル復号部２０４、ネットワーク部２０５、チャネル符号部２０８及び拡散変調部２０９を制御する。
【００２７】
図３は、図１に示した端末１０２の構成を示す図である。
【００２８】
図１に示した端末１０２には図３に示すように、受信アンテナ３０１と、受信部３０２と、逆拡散復調部３０３と、チャネル復号部３０４と、データ出力処理部３０５と、データ出力部３０６と、データ入力部３０７と、データ符号部３０８と、チャネル符号部３０９と、拡散変調部３１０と、送信部３１１と、送信アンテナ３１２と、制御部３１３とが設けられている。図３では、端末１０２の構成要素の中で、本発明に関する構成要素のみを示している。
【００２９】
受信アンテナ３０１は、図１に示した基地局１０１から発信された電波を受信する。受信部３０２は、基地局１０１から受信アンテナ３０１を介して受信されたダウンリンクデータを受信する。逆拡散復調部３０３は、受信部３０２にて受信されたダウンリンクデータを逆拡散して復調する。チャネル復号部３０４は、逆拡散復調部３０３にて復調されたダウンリンクデータについて、誤り訂正符号等をデコードする。データ出力処理部３０５は、チャネル復号部３０４にてデコードされたダウンリンクデータに出力処理を施す。データ出力部３０６はデータ出力処理部３０５にて出力処理されたダウンリンクデータを出力する。データ入力部３０７は、端末１０２の外部からデータを入力する。データ符号部３０８は、データ入力部３０７にて入力されたデータを符号化する。チャネル符号部３０９は、データ符号部３０８にて符号化されたデータについて誤り訂正等を施してチャネルに変換する。拡散変調部３１０は、チャネル符号部３０９にてチャネルに変換されたアップリンクデータをＱＰＳＫや１６ＱＡＭに変調して拡散する。送信部３１１は、拡散変調部３１０にて拡散されたアップリンクデータを搬送波周波数に乗せ、送信アンテナ３１２を介して基地局１０１へ送信する。制御部３１３は、逆拡散復調部３０３、チャネル復号部３０４、データ出力処理部３０５、データ符号部３０８、チャネル符号部３０９及び拡散変調部３１０を制御する。
【００３０】
以下に、上記のように構成された移動通信システムにおける送信電力制御方法について説明する。
【００３１】
図４は、図１〜３に示した移動通信システムにおける送信電力制御方法を説明するためのシーケンス図である。
【００３２】
まず、端末１０２にて受信されたＣＰＩＣＨのダウンリンクデータの受信品質が測定され、測定された受信品質がＣＱＩとしてＨＳ−ＤＰＣＣＨのサブフレームにマッピングされる。
【００３３】
そして、ＣＱＩがマッピングされたＨＳ−ＤＰＣＣＨのサブフレームが、端末１０２の送信部３１１から送信アンテナ３１２を介して基地局１０１へ送信される（ステップＳ１）。
【００３４】
端末１０２から基地局１０１へ送信されたＨＳ−ＤＰＣＣＨのサブフレームは、基地局１０１の受信アンテナ２０１を介して受信部２０２にて受信される（ステップＳ２）。
【００３５】
受信部２０２にて受信されたＨＳ−ＤＰＣＣＨのサブフレームは、逆拡散復調部２０３にて逆拡散及び復調処理が行われる（ステップＳ３）。この逆拡散及び復調処理については、従来の処理と同様のため、ここでは詳細を記述しない。
【００３６】
逆拡散復調部２０３にて逆拡散及び復調されたＨＳ−ＤＰＣＣＨのサブフレームは、チャネル復号部２０４にて復号される（ステップＳ４）。この復号処理については、従来の処理と同様のため、ここでは詳細を記述しない。
【００３７】
その後、ＣＱＩ抽出部２０６にて、チャネル復号部２０４にて復号されたＨＳ−ＤＰＣＣＨのサブフレームからＣＱＩが抽出される（ステップＳ５）。ＨＳ−ＤＰＣＣＨのサブフレーム内のＣＱＩの位置は、前述した図７に示した位置である。
【００３８】
ＣＱＩ抽出部２０６にてＨＳ−ＤＰＣＣＨのサブフレームからＣＱＩが抽出されると、抽出されたＣＱＩに基づいて、ＨＳ−ＳＣＣＨ送信電力決定部２０７にて基地局１０１から端末１０２へ送信するＨＳ−ＳＣＣＨの送信電力が決定される（ステップＳ６）。決定される送信電力の値は、ＨＳ−ＳＣＣＨ送信電力決定部２０７に予めＣＱＩの値に対応付けられて格納されている。ここで、ＨＳ−ＳＣＣＨ送信電力決定部２０７には、上述した対応付けが格納されるメモリ等の記憶手段が設けられていることが望ましい。
【００３９】
図５は、ＨＳ−ＤＰＣＣＨのサブフレームから抽出されたＣＱＩの値と基地局１０１から端末１０２へ送信するＨＳ−ＳＣＣＨの送信電力の値との対応付けの一例を示す図である。
【００４０】
図５に示すように、ＨＳ−ＤＰＣＣＨのサブフレームから抽出されたＣＱＩの値０〜１０には、基地局１０１の送信電力に対するＨＳ−ＳＣＣＨの送信電力の比がＸｄＢに対応付けられている。また、ＨＳ−ＤＰＣＣＨのサブフレームから抽出されたＣＱＩの値１１〜２０には、基地局１０１の送信電力に対するＨＳ−ＳＣＣＨの送信電力の比が（Ｘ−１．０）ｄＢに対応付けられている。また、ＨＳ−ＤＰＣＣＨのサブフレームから抽出されたＣＱＩの値２１〜３０には、基地局１０１の送信電力に対するＨＳ−ＳＣＣＨの送信電力の比が（Ｘ−２．０）ｄＢに対応付けられている。なお、Ｘは予め任意に設定された固定値である。
【００４１】
また、図５に示した対応付けの例に限らず、ＣＱＩの値の範囲を細分化した対応付けも考えられる。
【００４２】
図６は、ＨＳ−ＤＰＣＣＨのサブフレームから抽出されたＣＱＩの値と基地局１０１から端末１０２へ送信するＨＳ−ＳＣＣＨの送信電力の値との対応付けの他の例を示す図である。
【００４３】
図６に示すように、ＨＳ−ＤＰＣＣＨのサブフレームから抽出されたＣＱＩの値０〜５には、基地局１０１の送信電力に対するＨＳ−ＳＣＣＨの送信電力の比がＸｄＢに対応付けられている。また、ＨＳ−ＤＰＣＣＨのサブフレームから抽出されたＣＱＩの値６〜１０には、基地局１０１の送信電力に対するＨＳ−ＳＣＣＨの送信電力の比が（Ｘ−０．２）ｄＢに対応付けられている。また、ＨＳ−ＤＰＣＣＨのサブフレームから抽出されたＣＱＩの値１１〜１５には、基地局１０１の送信電力に対するＨＳ−ＳＣＣＨの送信電力の比が（Ｘ−０．４）ｄＢに対応付けられている。また、ＨＳ−ＤＰＣＣＨのサブフレームから抽出されたＣＱＩの値１６〜２０には、基地局１０１の送信電力に対するＨＳ−ＳＣＣＨの送信電力の比が（Ｘ−０．６）ｄＢに対応付けられている。また、ＨＳ−ＤＰＣＣＨのサブフレームから抽出されたＣＱＩの値２１〜２５には、基地局１０１の送信電力に対するＨＳ−ＳＣＣＨの送信電力の比が（Ｘ−０．８）ｄＢに対応付けられている。また、ＨＳ−ＤＰＣＣＨのサブフレームから抽出されたＣＱＩの値２６〜３０には、基地局１０１の送信電力に対するＨＳ−ＳＣＣＨの送信電力の比が（Ｘ−１．０）ｄＢに対応付けられている。なお、Ｘについては、図５に示した例と同様に、予め任意に設定された固定値である。このようにＣＱＩの値とＨＳ−ＳＣＣＨの送信電力の値との対応付けを細分化されることにより、より適した送信電力におけるＨＳ−ＳＣＣＨを用いたデコード情報の送信が可能となる。
【００４４】
また、１つのＣＱＩの値のみでそのＣＱＩの値に対応付けられたＨＳ−ＳＣＣＨの送信電力が決定されるのではなく、ある一定の時間において受信されたＣＱＩの値の平均値を計算し、その計算された平均値に対応付けられたＨＳ−ＳＣＣＨの送信電力が決定されることも考えられる。
【００４５】
そして、ＨＳ−ＳＣＣＨ送信電力決定部２０７にて決定された送信電力が、ＨＳ−ＳＣＣＨ送信電力決定部２０７から制御部２１２に通知される（ステップＳ７）。
【００４６】
制御部２１２に通知された送信電力は、制御部２１２から拡散変調部２０９へ通知され、拡散変調部２０９にてＨＳ−ＳＣＣＨの送信電力として反映されて、ＨＳ−ＳＣＣＨを用いたデコード情報が送信部２１０から送信アンテナ２１１を介して端末へ送信される（ステップＳ８）。このとき、ＨＳ−ＰＤＳＣＨを用いたパケットデータがＨＳ−ＳＣＣＨを用いたデコード情報と対で送信される。
【００４７】
そして、基地局１０１から送信されたＨＳ−ＳＣＣＨを用いたデコード情報とＨＳ−ＰＤＳＣＨを用いたパケットデータとが対で端末１０２にて受信される（ステップＳ９）。端末１０２にて受信されたパケットデータは、対で受信されたデコード情報によってデコードされる。
【００４８】
このように、受信品質を示すＣＱＩに基づいて決定された送信電力によってＨＳ−ＳＣＣＨを用いたデコード情報が送信されることにより、様々な通信路品質状態においてもＨＳ−ＰＤＳＣＨを用いたパケットデータが正常にデコードされ、ダウンリンクにおけるスループットの低下を防ぐことができる。また、一方では、通信路品質状態が良好の場合、過多な送信電力を消費してしまうことを防ぐことができる。
【図面の簡単な説明】
【００４９】
【図１】本発明の移動通信システムの実施の一形態を示す図である。
【図２】図１に示した基地局の構成を示す図である。
【図３】図１に示した端末の構成を示す図である。
【図４】図１〜３に示した移動通信システムにおける送信電力制御方法を説明するためのシーケンス図である。
【図５】ＨＳ−ＤＰＣＣＨのサブフレームから抽出されたＣＱＩの値と基地局から端末へ送信するＨＳ−ＳＣＣＨの送信電力の値との対応付けの一例を示す図である。
【図６】ＨＳ−ＤＰＣＣＨのサブフレームから抽出されたＣＱＩの値と基地局から端末へ送信するＨＳ−ＳＣＣＨの送信電力の値との対応付けの他の例を示す図である。
【図７】従来のＨＳ−ＤＰＣＣＨのサブフレームの構造を示す図である。
【符号の説明】
【００５０】
１０１    基地局
１０２    端末
２０１，３０１    受信アンテナ
２０２，３０２    受信部
２０３，３０３    逆拡散復調部
２０４，３０４    チャネル復号部
２０５    ネットワーク部
２０６    ＣＱＩ抽出部
２０７    ＨＳ−ＳＣＣＨ送信電力決定部
２０８，３０９    チャネル符号部
２０９，３１０    拡散変調部
２１０，３１１    送信部
２１１，３１２    送信アンテナ
２１２，３１３    制御部
３０５    データ出力処理部
３０６    データ出力部
３０７    データ入力部
３０８    データ符号部
【図１】
2007235817.tif 000003
【図２】
2007235817.tif 000004
【図３】
2007235817.tif 000005
【図４】
2007235817.tif 000006
【図５】
2007235817.tif 000007
【図６】
2007235817.tif 000008
【図７】
2007235817.tif 000009